(57)【要約】【課題】本発明は、構造的縫い目線に沿ってつなげられた複数の生地パネルを備えるサイクリングウェアに関する。【解決手段】構造的縫い目線に沿ってつなげられた複数の生地パネルを備えるサイクリングウェア（１）であり、サイクリングウェアは左右の脚部分（２）を備え、前記左右の脚部分の各々は１枚の生地パネル（３）で作製され、前記パネルは曲線からなる２つの対向する側部（５、６）を有し、前記対向する側部が互いに合うまで畳まれ、曲線で実質的にＳ字型の縫い目（４）を脚部分（２）の後部に形成し、前記縫い目はサイクリングウェアの各脚部分の唯一の縫い目である、サイクリングウェア。【選択図】図２
2015014077.tif 000002
【特許請求の範囲】
【請求項１】
構造的縫い目線に沿ってつなげられた複数の生地パネルを備えるサイクリングウェア（１）であって、前記サイクリングウェアは左右の脚部分（２）を備え、
前記左右の脚部分（２）の各々は１枚の生地パネル（３）で作製されており、
前記生地パネルは、曲線からなる２つの対向する側部（５、６）を有し、前記対向する側部が互いに合うまで畳まれ、曲線で実質的にＳ字型の縫い目（４）を脚部分（２）の後部に形成し、
前記縫い目（４）は各脚部分の唯一の縫い目であることを特徴とする、サイクリングウェア。
【請求項２】
前記サイクリングウェアの左の脚部分（２）の前記縫い目（４）が、右の脚部分の前記縫い目と鏡像関係になっている、請求項１に記載のサイクリングウェア。
【請求項３】
各脚部分（２）の前記縫い目（４）が、前記サイクリングウェアが着用されると実質的に腿部の後側に位置する、請求項１または２に記載のサイクリングウェア。
【請求項４】
前記サイクリングウェアの前記各脚部分（２）の前記縫い目（４）が、第１の波（８）と第２の波（９）からなる正弦部（７）を含み、前記正弦部は上部脚部分（１０）に位置する、請求項１から３のいずれか一項に記載のサイクリングウェア。
【請求項５】
前記各脚部分（２）の縫い目（４）が、前記脚部分の縁（１２）で終わっている実質的に直線の部分（１１）も含む、請求項４に記載のサイクリングウェア。
【発明の詳細な説明】
【技術分野】
【０００１】
本発明は、サイクリングスポーツウェアの分野に関する。本発明は、接合された生地パネルでできたサイクリングウェアに関し、その脚部分を作製する新規技法に関する。
【背景技術】
【０００２】
サイクリングウェア（ｃｙｃｌｉｎｇ  ｓｕｉｔ）の既知の構造は、適切な縫い目により互いに接続されたいくつかの生地部分で構成される。前記生地部分は、パネルとも呼ばれる。そのような構造のサイクリング服は、たとえば特許文献１に記述されている。
【０００３】
サイクリングズボンが直面する問題の１つに、ズボン部分または脚部分の具現化がある。ズボン部分は、快適さと人間工学を確保するためにユーザーの脚に密着していなければならない。しかし、満足できる解決策は先行技術では提供されていない。たとえば、先行技術による解決策は、脚部分を実質的に筒部とし、少なくとも２つの縫い目、すなわち前側と後側の縫い目を有するが、この既知の実施形態では人間工学的に優れていないことがわかっている。
【先行技術文献】
【特許文献】
【０００４】
【特許文献１】欧州特許出願公開第１８３４５３２号明細書
【発明の概要】
【発明が解決しようとする課題】
【０００５】
本発明は、この問題を解決することを目的とし、そのような種類のサイクリングウェアの脚部分を作製する新規かつより高効率の方法を提供する。
【課題を解決するための手段】
【０００６】
この問題は、独立請求項１によるサイクリングウェアにより解決される。サイクリングウェアは、構造的縫い目線に沿ってつなげられた複数の生地パネルを備え、左右の脚部分を備え、前記左右の脚部分の各々が１枚の生地パネルで作製され、前記生地パネルは曲線からなる２つの対向する側部を有し、前記対向する側部が互いに合うまで畳まれて、実質的にＳ字型の縫い目を脚の後部に形成し、前記縫い目は各脚部分の唯一の縫い目であることを特徴とする。
【０００７】
いくつかの好ましい特徴が従属項に記載されている。
【０００８】
本発明の１つの特徴は、各脚部分に縫い目が１本しかないことである。したがって、本発明の第１の利点は、各脚部分に１枚の生地パネルと１本の縫い目を特徴とする構造である。縫い目数を減ずることは、製造工程と快適さにおいて有利である。
【０００９】
さらに、出願人は、この特定の実施形態がペダル漕ぎ動作に伴い、また、ユーザーの身体への密着性において、驚くほど効果的であることを見出した。縫い目の曲線形状は、様々な使用条件下で、特に激しい使用時に、弾性生地の適切な伸長を維持しながら最良の身体密着性と快適さを提供することが見出されている。
【００１０】
本明細書および添付の特許請求の範囲では、縫い目線または縫い目という用語は、たとえば縫う、のり付けする、溶接するなどを含む、生地パネルを接合するあらゆる適用可能な技法を指すのに使用される。好ましくは、縫い目は縫うことで作製される。サイクリングウェアという用語は、ボディスーツ、ズボンなどの股部分を有するズボン部分を少なくとも含む様々な物品を指すのに使用される。
【００１１】
本発明の特徴と利点は、以下の詳細な説明によりさらに明らかになるが、以下の詳しい説明は限定ではなく例示を目的とする。
【図面の簡単な説明】
【００１２】
【図１】本発明の実施形態によるサイクリングウェアの前面図である。
【図２】図１のサイクリングウェアの後面図であり、脚部分を形成する２枚の生地パネルの縫い目線が強調されている。
【図３】図１のサイクリングウェアの片方の脚部分を作製するための生地パネルを示す図である。
【図４】サイクリングウェアの脚部分を形成するために畳まれたときの図３の生地パネルの図である。
【発明を実施するための形態】
【００１３】
サイクリングウェア１は、構造的縫い目線に沿ってつなげられた複数の生地パネルで作製される。ウェア１は、左右の脚部分２を含み、左右の脚部分２の各々は、１枚の生地パネル３でできている（図３）。
【００１４】
この例のウェア１は、２つのブレース１４（ズボンつり）を有するが、本発明はズボン（脚）部分を含む他の形態のサイクリングウェアでも実施できる。
【００１５】
脚部分２を形成するパネル３は、基本的には曲線からなる２つの対向する側部５、６、わずかに曲線を描く底部１７およびＵ字型の裁ち目（ｃｕｔ）１５と円弧状の裁ち目（ｃｕｔ）１６を有する上部境界を含む。前記裁ち目１５と１６の間の端部分は第１直線側部１９と第２直線側部２０を含む。
【００１６】
対向する側部５、６は、より詳細には、実質的に正弦線をたどり、パネル３が畳まれて側部５が側部６に接触すると互いに相補的である。脚部分２の形成を図４に示す。パネル３は、底部１７に対し実質的に直交する中心軸１８を中心に、対向する側部５と６が接触するまで畳まれ、次いで側部５と６は縫い目４で接合される。図２に示すように、前記縫い目４はウェア１の腿部の後ろに位置する。側部５、６は、前記縫い目４を形成するように、縫い合わされてもよいし、またはのり付けや熱溶接などの別の技法で互いに接着されてもよい。
【００１７】
前記縫い目４の好ましい形が図に例示されている。縫い目４は、第１の波８と第２の波９からなる正弦部７を有する。前記正弦部７は、符号１０で表される上部脚部分に位置する。次に、好ましい実施形態では、縫い目４は、ウェアの脚部分２の縁１２で終わっている実質的に直線の部分１１を含む。２本の縫い目４がウェア１の中心線１３に対し鏡像関係（ｓｐｅｃｕｌａｒ）にあることも示されている。
【００１８】
図４は、パネル３が畳まれると、Ｕ字型の裁ち目１５が股部分の内側部を形成し、側部１９がブレース１４の固定領域を形成することも示している。
【図１】
2015014077.tif 000003
【図２】
2015014077.tif 000004
【図３】
2015014077.tif 000005
【図４】
2015014077.tif 000006